(57)【要約】【課題】中足骨靭帯が緩くなり横アーチが崩れると、即ち所謂偏平足になると、衝撃が分散できず安定した歩行等が困難になるばかりでなく、外反母趾になったり、更には体全体が硬くなったり、腰痛になったりと体全体に悪影響を及ぼす。【解決手段】矯正機能付き靴下１は、中足骨靭帯９に対応する足裏部１１及びその両側部１３、１３に当接する部分を弾性材（第１弾性領域３）で構成し、中足骨靭帯９に対応する足表部１５に当接する部分を前記弾性材より弾性の低い材料で構成する。履いたときに中足骨靭帯９の両基端部１４、１４を互いに接近する方向に締め付けるが、足表部１５から足裏部１１に向かっては締め付けないので、中足骨靭帯９を所望の横アーチ状に上手く再生できる。【選択図】              図４
2005042213.tif 000002
【特許請求の範囲】
【請求項１】
中足骨靭帯に対応する足裏部及びその両側部に当接する部分を弾性の高い高弾性材で構成し、中足骨靭帯に対応する足表部に当接する部分を前記弾性材より弾性の低い低弾性材で構成し、履いたときに両側部から締め付けることで中足骨靭帯を横アーチ状の再生方向に矯正することを特徴とする矯正機能付き靴下。
【請求項２】
請求項１に記載した矯正機能付き靴下において、先端側に指を入れる２以上の袋部を形成していることを特徴とする靴下。
【請求項３】
請求項１又は２に記載した矯正機能付き靴下において、アキレス腱に対応する足首に当接する部分を弾性の高い高弾性材で構成したことを特徴とする靴下。
【発明の詳細な説明】
【０００１】
【発明の属する技術分野】
本発明は、矯正機能付き靴下に係り、特に中足骨靭帯を締めて横アーチを再生することで体全体を楽にすることができる矯正機能付き靴下に関するものである。
【０００２】
【従来の技術】
足の横アーチは中足骨靭帯によって構成されたバネのようなものであり、この横アーチがあることで、歩行やランニング等の際に足にかかる衝撃を分散したり、体全体のバランスを上手く取ることができる。
しかしながら、最近では、運動不足による筋力の低下、体重の増加、更には女性に多い先細りの靴の使用などから、中足骨靭帯が緩くなっている人が多くなっている。
中足骨靭帯が緩くなり横アーチが崩れると、即ち所謂偏平足になると、衝撃が分散できず安定した歩行等が困難になるばかりでなく、外反母趾になったり、更には体全体が硬くなったり、腰痛になったりと体全体に悪影響を及ぼす。
【０００３】
中足骨靭帯を締めるために、下記の特許文献には種々のサポータや靴下が提案されているが、いずれも、履いたりして装着したときには横アーチは上手く再生されなかった。また、強力に締め付けているので、締め付けによる不快感があった。
【０００４】
【特許文献１】特開平０６−０５４８７３
【特許文献２】特開平０６−３０４１９５
【特許文献３】特開２００１−０２９３７４
【特許文献４】特開２００１−２６２４０５
【特許文献５】特開２００１−２９９７９２
【０００５】
【発明が解決しようとする課題】
それ故、本発明は、上記の課題を解決する、履いたときに締め付けの不快感を与えずに、中足骨靭帯を矯正して横アーチを上手く再生できる靴下を提供することを目的とする。
【０００６】
【課題を解決するための手段】
本発明者は、鋭意研究の結果、中足骨靭帯を足裏部側からのみ締め付ける構成の靴下とすることで、履いたときに締め付けの不快感を与えることなく、横アーチを上手く再生できることを見出し、本発明を完成するに至った。
【０００７】
請求項１の発明は、中足骨靭帯に対応する足裏部及びその両側部に当接する部分を弾性の高い高弾性材で構成し、中足骨靭帯に対応する足表部に当接する部分を前記弾性素材より弾性の低い低弾性材で構成し、履いたときに両側部から締め付けることで中足骨靭帯を横アーチ状の再生方向に矯正することを特徴とする矯正機能付き靴下である。
【０００８】
請求項２の発明は、請求項１に記載した矯正機能付き靴下において、先端側に指を入れる２以上の袋部を形成していることを特徴とする靴下である。
【０００９】
請求項３の発明は、請求項１又は２に記載した矯正機能付き靴下において、アキレス腱に対応する足首に当接する部分を弾性の高い高弾性材で構成したことを特徴とする靴下である。
【００１０】
【発明の実施の形態】
以下、本発明の実施の形態に係る矯正機能付き靴下を図１から図４に従って説明する。
図１は、矯正機能付き靴下１を左足に履いた状態を示す斜視図である。
矯正機能付き靴下１は通常の市販の靴下と同様に通常の靴下用の綿で全体的に構成されている。
符号３は第１弾性領域を示し、この第１弾性領域３は弾性の高い高弾性材で構成されている。具体的には、ウレタンゴムを素材である綿に織りこむことで周囲の領域と一体的に構成されている。なお、このようにして弾性材を織り込むことで所定の領域のみに弾性領域を形成する方法は既に公知である。
第１弾性領域３は足の左右両側に延びる横長の帯領域を形成している。
【００１１】
図２は、図１に示すように靴下１を左足２に履いたときに、靴下１を底面５側からみた図である。図３は、図１に示すように靴下１を履いたときに、靴下１を上面７側からみた図である。靴下１中、中足骨靭帯９に対応する足裏部１１及びその両側部１３、１３に当接する部分には、横長帯状の第１弾性領域３が連続して形成されている。一方、中足骨靭帯９に対応する足表部１５に当接する部分には、ウレタンゴムは織り込まれていない。従って、足表部１５に当接する部分は第１弾性領域３より弾性が低い低弾性材（綿のみ）で構成されていることになる。
【００１２】
靴下１は足袋状に構成されており、先端側が親指を入れる小袋部１７とそれ以外の４本の指を入れる大袋部１９とに分かれている。靴下１には第１弾性領域３が形成されているので、靴下１を履いていないときには第１弾性領域３の弾性力により丸まる方向に付勢されるが、先端側が小袋部１７と大袋部１９に分かれているので、履いていないときにも丸まるのが防止される。また、親指と他の指同士が接触せず、放湿性が高くなる。
【００１３】
符号２１は第２弾性領域を示し、この第２弾性領域２１は第１弾性領域３と同様に、ウレタンゴム等の弾性材を素材である綿に織りこむことで周囲の領域と一体的に構成されている。第２弾性領域２１は横長の帯領域をなしており、靴下１を履いたときには、アキレス腱に対応するかかとの上の後背部２３に当接する部分に対応する。
【００１４】
図４は、矯正機能付き靴下１を履いた状態を前面側からみた断面図である。この図により、靴下１を履いたときに左足２にかかる締め付け力を説明する。
第１弾性領域３があると縮まろうとするので、左足２に締め付ける方向に力が働くが、第１弾性領域３は左足２全体を幅方向に囲んでいるのではなく、中足骨靭帯９に対応する足裏部１１及びその両側部１３、１３に当接する部分のみをカバーしている。即ち、第１弾性領域３は「Ｕ字状」を成している。
従って、図４の矢印に示すように、両側部１３、１３から、中足骨靭帯９（横アーチ）の両基端部１４、１４に対して互いに接近する方向に締め付け力が働くので、中足骨靭帯９を横アーチ状の再生方向に矯正する。
【００１５】
そして、中足骨靭帯９の足表部１５に当接する部分には第１弾性領域３は形成されていないので、中足骨靭帯９を足表部１５から足裏部１１に向かっては締め付ける力は働かない。
なお、この方向で締め付け力が作用すると、横アーチが崩れ易くなる。この方向の締め付け力が働かないことが本発明の有利な点である。
従って、靴下１を履くと、中足骨靭帯９が所望の横アーチ状に上手く再生される。
【００１６】
靴下１を履いたときには、左足２を第１弾性領域３がぐるりと取り囲んでいるわけではないので、締め付けによる不快感は殆どない。
また、第２弾性領域２１はアキレス腱を後背部２３側から締めることで保護している。
【００１７】
以上、本発明の実施の形態について詳述してきたが、具体的な構成はこの実施の形態に限られるものではなく、本発明の要旨を逸脱しない範囲における設計の変更などがあっても本発明に含まれる。
例えば、第２弾性領域は形成しなくてもよい。また、形成する場合でも、第１弾性領域と同じ材料で形成しなくてもよいし、ゴム等の織り込む度合いを変えて、弾性力を調整していよい。
靴下の先端は指を１つずつ入れられるよう５つの袋を設けてもよい。また、先端は開口させてもよい。
【００１８】
【発明の効果】
本発明の矯正機能付き靴下によれば、履いたときに締め付けの不快感を与えずに、中足骨靭帯を矯正して所望の横アーチ状に上手く再生できる。
【図面の簡単な説明】
【図１】本発明の実施の形態に係る矯正機能付き靴下を左足に履いた状態を示す斜視図である。
【図２】図１の矯正機能付き靴下を履いた状態を底面側からみた図である。
【図３】図１の矯正機能付き靴下を履いた状態を上面側からみた図である。
【図４】図１の矯正機能付き靴下を履いた状態を前面側からみた断面図である。
【符号の説明】
１‥‥矯正機能付き靴下
２‥‥足
３‥‥第１弾性領域
５‥‥底面
７‥‥上面
９‥‥中足骨靭帯
１１‥‥足裏部
１３、１３‥‥両側部
１４、１４‥‥中足骨靭帯の両基端部
１５‥‥足表部
１７‥‥小袋部
１９‥‥大袋部
２１‥‥第２弾性領域
２３‥‥後背部
【図１】
2005042213.tif 000003
【図２】
2005042213.tif 000004
【図３】
2005042213.tif 000005
【図４】
2005042213.tif 000006